(57)【特許請求の範囲】
【請求項１】
張られた幹電線の幹電線露出導体部を収容する幹電線収容溝と、
該幹電線収容溝の縁に形成され、折り曲げられて前記幹電線露出導体部を仮押さえ可能な仮押さえリブと、
前記幹電線収容溝に配置される前記幹電線の前記幹電線露出導体部に対して、分岐電線の先端の分岐電線露出導体部が並行に配置されるように、該分岐電線露出導体部を挿入する分岐電線挿入穴と、
を備え、
前記幹電線収容溝は、当該幹電線収容溝と前記分岐線挿入穴とが隣接する方向と異なる方向に向けて開放されて、該幹電線収容溝に前記幹電線露出導体部を収容した状態で前記分岐電線挿入穴を下側に位置させたときに、当該幹電線露出導体部に掛け止められるフック部を有し、
前記仮押さえリブは、前記幹電線収容溝の開放方向に前記フック部を延長させて形成されている
ことを特徴とする電線分岐用圧縮スリーブ。
【請求項２】
前記分岐電線挿入穴は径寸法が少なくとも前記分岐電線露出導体部の径寸法より大きい貫通口であり、少なくとも一方の開口部から内奥に向けて漸次径寸法が小さくなる案内部を備えていることを特徴とする請求項１に記載の電線分岐用圧縮スリーブ。
【請求項３】
前記分岐電線露出導体部を挿入する側の前記分岐電線挿入穴の近傍に、当該分岐電線挿入穴に挿入された分岐電線に巻き付ける被覆バインドが設けられていることを特徴とする請求項１または請求項２に記載の電線分岐用圧縮スリーブ。
【発明の詳細な説明】
【技術分野】
【０００１】
本発明は電線分岐用圧縮スリーブに関し、さらに詳しくは、間接活線工法に用いる電線分岐用圧縮スリーブに関する。
【背景技術】
【０００２】
高圧幹線に分岐線を接続する場合、所謂、Ｈ型の電線分岐用圧縮スリーブが用いられている。この電線分岐用圧縮スリーブは、高圧幹線の所定の位置における被覆電線の被覆を剥いて露出させた露出導体部と、分岐線の被覆電線の一端部の被覆を剥いた露出導体部と、を電線分岐用圧縮スリーブの両端部に開放するように形成された導体収容部（溝部）に収容するようになっている。そして、所定の圧縮工具を用いてこの電線分岐用圧縮スリーブを圧縮している。このように電線分岐用圧縮スリーブで高圧幹線に分岐線を接続する場合、間接活線工具を用いる間接活線工法では、電線分岐用圧縮スリーブが不安定となるため、電線分岐用圧縮スリーブを高圧幹線と分岐線とで挟んだ状態で固定することが容易ではなかった。そこで、間接活線工具によって把持可能な把手部を備えた電線分岐用圧縮スリーブ（例えば、特許文献１参照）が提案されている。また、間接活線工具としては、（例えば、特許文献２参照）などが提案されている。
【０００３】
上記の電線分岐用圧縮スリーブを、間接活線工具を用いた間接活線工法で圧縮するには、先ず、例えばクイックまたはやっとこ等の間接活線工具を使用して、高圧配電線の導体部（充電部）を、電線分岐用圧縮スリーブの導体収容部（溝）に収容し、仮押さえリブを折り曲げる。その後、電線分岐用圧縮スリーブのもう一方の導体収容部の仮押さえリブを折り曲げて、間接活線工具で電線分岐用圧縮スリーブを把持する。この時点で、高圧分岐電線の導体部をもう一方の導体収容部に挿入する。そして、高圧配電線と高圧分岐電線とを同時に、間接活線工具で把持することで、電線分岐用圧縮スリーブが導体に挟まれ、落下の虞がなくなる。このように落下の虞がなくなった時点で、間接活線工具で電線分岐用圧縮スリーブを把持することを解除する。最後に圧縮型分岐スリーブを圧縮すれば、接続作業が完了する。
【先行技術文献】
【特許文献】
【０００４】
【特許文献１】特開２００９−１５８３１１号公報
【特許文献２】特開２０１０−２２１３０号公報
【発明の概要】
【発明が解決しようとする課題】
【０００５】
しかしながら、上記の特許文献１に開示された電線分岐用圧縮スリーブでは、間接活線工具が導体収容部（溝）と干渉しやすく、落下のリスクが大きく作業性を低下させるという問題がある。また、上記の特許文献２に開示された間接活線工具は、汎用範囲が狭く、上記の特許文献１に記載の電線分岐用圧縮スリーブを用いた接続作業には適用できないものであった。
【０００６】
本発明は、上記の課題に鑑みてなされたものであって、作業性が高く落下を防止できる電線分岐用圧縮スリーブを提供することを目的とする。
【課題を解決するための手段】
【０００７】
上述した課題を解決し、目的を達成するために、本発明の態様は電線分岐用圧縮スリーブであって、張られた幹電線の幹電線露出導体部を収容する幹電線収容溝と、この幹電線収容溝の縁に形成され、折り曲げられて幹電線露出導体部を仮押さえ可能な仮押さえリブと、幹電線収容溝に配置される幹電線の幹電線露出導体部に対して、分岐電線の先端の分岐電線露出導体部が並行に配置されるように、この分岐電線露出導体部を挿入する分岐電線挿入穴と、を備えることを特徴とする。
【０００８】
上記態様としては、幹電線収容溝は、この幹電線収容溝と分岐線挿入穴とが隣接する方向と異なる方向に向けて開放されていることが好ましい。
【０００９】
上記態様としては、分岐電線挿入穴は径寸法が少なくとも分岐電線露出導体部の径寸法より大きい貫通口であり、少なくとも一方の開口部から内奥に向けて漸次径寸法が小さくなる案内部を備えていることが好ましい。
【００１０】
上記態様としては、分岐電線露出導体部を挿入する側の分岐電線挿入穴の近傍に、この分岐電線挿入穴に挿入された分岐電線に巻き付ける被覆バインドが設けられていることが好ましい。
【００１１】
上記態様としては、幹電線収容溝は、この幹電線収容溝に幹電線露出導体部を収容した状態でこの幹電線収容溝を上側に配置し分岐電線挿入穴を下側に配置したときに、幹電線露出導体部に掛け止められるフック部を備えることが好ましい。
【発明の効果】
【００１２】
本発明によれば、作業性が高く落下を防止できる電線分岐用圧縮スリーブをすることができる。
【図面の簡単な説明】
【００１３】
【図１】図１は、本発明の第１の実施の形態に係る電線分岐用圧縮スリーブおよび分岐電線を示す斜視図である。
【図２】図２は、本発明の第１の実施の形態に係る電線分岐用圧縮スリーブにおける分岐電線挿入穴の一端側から見た側面図である。
【図３】図３は、本発明の第１の実施の形態に係る電線分岐用圧縮スリーブの正面図である。
【図４】図４は、本発明の第１の実施の形態に係る電線分岐用圧縮スリーブに分岐電線の端部を挿入した状態を示す正面図である。
【図５】図５は、本発明の第１の実施の形態に係る電線分岐用圧縮スリーブに分岐電線の端部を挿入した状態で、幹電線に電線分岐用圧縮スリーブを掛ける状態を示す斜視図である。
【図６】図６は、本発明の第１の実施の形態に係る電線分岐用圧縮スリーブに分岐電線の端部を挿入した状態で、幹電線に電線分岐用圧縮スリーブを掛ける状態を示す断面図である。
【図７】図７は、本発明の第１の実施の形態に係る電線分岐用圧縮スリーブで幹電線に分岐電線を取り付けた状態を示す正面図である。
【図８】図８は、本発明の第２の実施の形態に係る電線分岐用圧縮スリーブの側面図である。
【図９】図９は、本発明の第２の実施の形態に係る電線分岐用圧縮スリーブの正面図である。
【図１０】図１０は、本発明の第２の実施の形態に係る電線分岐用圧縮スリーブを幹電線に取り付ける状態を示す側面図である。
【図１１】図１１は、本発明の第２の実施の形態に係る電線分岐用圧縮スリーブを幹電線に仮止めする状態を示す側面図である。
【図１２】図１２は、本発明の第２の実施の形態に係る電線分岐用圧縮スリーブを幹電線に仮止めした状態で分岐電線を取り付ける状態を示す斜視図である。
【図１３】図１３は、本発明の第２の実施の形態に係る電線分岐用圧縮スリーブで幹電線に分岐電線を接続した状態を示す正面図である。
【発明を実施するための形態】
【００１４】
以下に、本発明の各実施の形態に係る電線分岐用圧縮スリーブの詳細を図面に基づいて説明する。
【００１５】
［第１の実施の形態］
（電線分岐用圧縮スリーブの構成）
図１〜図７は、本発明の第１の実施の形態に係る電線分岐用圧縮スリーブ１を示している。図１および図２に示すように、電線分岐用圧縮スリーブ１は、アルミニウムからなる略楕円柱形状のスリーブ本体１１と、スリーブ本体１１の軸方向（楕円柱の軸方向）の一方の端部側に設けられた被覆バインド１２と、を備えている。電線分岐用圧縮スリーブ１は、所謂ＣＯ型と称される構造を有している。すなわち、図１および図３に示すように、スリーブ本体１１には、断面がＣ字形状の幹電線収容溝１３と、断面がＯ字形状の分岐電線挿入穴１４と、が軸方向に沿って平行をなすように形成されている。
【００１６】
幹電線収容溝１３は、スリーブ本体１１の軸方向に対して直角をなす略楕円形の断面において、楕円の長軸方向（幹電線収容溝１３と分岐電線挿入穴１４が隣接する方向）に略直角をなす方向（スリーブ本体１１の側方）に開放する溝となっている。スリーブ本体１１は、実際の取り付け作業において、幹電線収容溝１３が上に配置され、分岐電線挿入穴１４が下に配置されるように用いられる。幹電線収容溝１３の両脇の縁部のうち、楕円長軸方向外側の縁部１３Ａには、仮押さえリブ１５がスリーブ本体１１の軸方向の軸方向に沿って形成されている。なお、縁部１３Ａは、幹電線露出導体部３２にスリーブ本体１１が掛け止められるときにフック部として機能する。この仮押さえリブ１５は、幹電線収容溝１３に後述する幹電線３を収容したときにこの幹電線収容溝１３の溝入口を覆うことができる程度の幅を有する長方形状に形成されている。スリーブ本体１１における幹電線収容溝１３を上にして分岐電線挿入穴１４を下になるように配置した場合に、仮押さえリブ１５は、斜め下方に突出するような角度になるように設定されている。
【００１７】
分岐電線挿入穴１４は、スリーブ本体１１を軸方向に貫通している。分岐電線挿入穴１４の径寸法は、後述する分岐電線２の露出導体部２２の径寸法よりも大きく設定されている。この分岐電線挿入穴１４の軸方向の一方の開口部の周辺には、被覆バインド１２の一端が固定されている。この被覆バインド１２は、例えば針金状の金属線の表面を絶縁被覆した構成である。この被覆バインド１２は、後述する分岐電線２の露出導体部２２を分岐電線挿入穴１４に挿入したときに、分岐電線２に巻き付けて仮押さえ用のバインドとして用いることができる。
【００１８】
（電線分岐用圧縮スリーブを用いた接続方法）
まず、図１に示すように、分岐電線２の端部の被覆部２１の絶縁被覆を剥離して露出導体部（分岐電線露出導体部）２２とする。次に、この露出導体部２２を端部から電線分岐用圧縮スリーブ１の分岐電線挿入穴１４に挿入する。そして、図４に示すように、分岐電線２が電線分岐用圧縮スリーブ１から外れないように、分岐電線２に被覆バインド１２を巻き付けて仮支持する。
【００１９】
次に、図４に示すように、例えば、図示しない電柱同士の間を連絡するように張られた架空配電線である幹電線３において、分岐電線２を接続する箇所の被覆部３１の絶縁被覆を剥離して露出導体部（幹電線露出導体部）３２を作製しておく。そして、やっとこ等の周知の工具を用いて、図５に示すように電線分岐用圧縮スリーブ１の幹電線収容溝１３に幹電線露出導体部３２が収容されるように操作を行う。その後、仮押さえリブ１５で幹電線収容溝１３を閉塞するように、この仮押さえリブ１５がスリーブ本体１１に重なるように折り曲げる。本実施の形態では、幹電線収容溝１３を上にして分岐電線挿入穴１４を下になるような姿勢にした場合に、仮押さえリブ１５は、斜め下方に突出するような角度になるように設定されている。このため、図６に示すように、仮押さえリブ１５は、露出導体部３２に引っ掛かり易くする機能と、露出導体部３２を幹電線収容溝１３内に案内する機能を有している。
【００２０】
ここで、仮押さえリブ１５は、幹電線収容溝１３に収容された露出導体部３２がこの幹電線収容溝１３から外れることを防止している。その後、図示しない圧縮機を用いて、電線分岐用圧縮スリーブ１を圧縮することにより、幹電線露出導体部３２と分岐電線露出導体部２２とを確実に電気的に接続させることができる。
【００２１】
本実施の形態に係る電線分岐用圧縮スリーブ１では、露出導体部２２を分岐電線挿入穴１４に挿入するだけでよいため、露出導体部２２を収容する箇所に仮押さえリブが不要であり、構成が簡単になり、取り付け作業性を向上できる。また、電線分岐用圧縮スリーブ１は、被覆バインド１２を備えているため、この被覆バインド１２で分岐電線露出導体部２２を容易に保持でき、電線露出導体部２２が電線分岐用圧縮スリーブ１から外れて分岐電線２が落下することを防止できる。
【００２２】
また、本実施の形態に係る電線分岐用圧縮スリーブ１では、間接活線作業を、離れた位置から例えばクイック等の工具をやっとこ等の間接活線工具で把持した状態で行う。このとき、仮押さえリブ１５は、幹電線収容溝１３への差し込みガイドとして機能し、風等によって電線が揺れている場合でも電線差し込み作業を容易にする効果がある。
【００２３】
［第２の実施の形態］
図８〜図１３は、本発明の第２の実施の形態に係る電線分岐用圧縮スリーブ４を示している。図８および図９に示すように、電線分岐用圧縮スリーブ４は、所謂ＨＯ型と称される構造を有している。この電線分岐用圧縮スリーブ４は、アルミニウムからなる略楕円柱形状のスリーブ本体４１に、幹電線収容溝４２と、断面がＯ字形状の分岐電線挿入穴４３と、が軸方向に沿って平行をなすように形成されている。
【００２４】
幹電線収容溝４２は、スリーブ本体４１の軸方向に対して直角をなす略楕円形の断面において、楕円の長軸方向の外側に開放するＵ字形状の溝となっている。スリーブ本体４１は、実際の取り付け作業において、幹電線収容溝４２が上に配置され、分岐電線挿入穴４３が下に配置されるように用いられる。幹電線収容溝４２の両側の縁部のうち、一方の縁部４２Ａには、仮押さえリブ４４がスリーブ本体４１の軸方向の軸方向に沿って形成されている。この仮押さえリブ４４は、幹電線収容溝４２に幹電線３の露出導体部３２を収容したときにこの幹電線収容溝４２の溝入口を覆うことができる程度の幅を有する長方形状に形成されている。スリーブ本体４１における幹電線収容溝４２を上にして分岐電線挿入穴４３を下になるように配置した場合に、仮押さえリブ４４は、上方に突出するように設定されている。
【００２５】
分岐電線挿入穴４３は、スリーブ本体４１を軸方向に貫通している。分岐電線挿入穴４３の最小径寸法は、分岐電線２の露出導体部２２の径寸法よりも大きく設定されている。図９に示すように、本実施の形態では、分岐電線挿入穴４３の両方の開口部に入口が分岐電線露出導体部２２の径寸法よりも大きく、かつ内奥に向けて漸次径寸法が小さくなる案内部４３Ａが形成されている。
【００２６】
（電線分岐用圧縮スリーブを用いた接続方法）
まず、幹電線３における分岐電線２を接続する位置の被覆部２１の絶縁被覆を剥離して露出導体部（幹電線露出導体部）３２とする。次に、図１０に示すように、この露出導体部２２を幹電線収容溝４２に収容するように、やっとこ等の間接活線工具を用いて操作する。そして、図１１および図１２に示すように、幹電線収容溝４２に露出導体部３２が収容された状態で、仮押さえリブ４４を折り曲げて、露出導体部３２がスリーブ本体４１から外れないように仮押さえする。次に、分岐電線２の分岐電線露出導体部２２を電線分岐用圧縮スリーブ４の分岐電線挿入穴４３に挿入する。このとき、分岐電線露出導体部２２の先端部は、案内部４２Ａに案内されて容易に分岐電線挿入穴４２内に収容できる。
【００２７】
その後、図示しない圧縮機を用いて、電線分岐用圧縮スリーブ４１を圧縮することにより、図１３に示すように、幹電線露出導体部３２と分岐電線露出導体部２２とを確実に電気的に接続させることができる。
【００２８】
本実施の形態に係る電線分岐用圧縮スリーブ４１では、案内部４２Ａを形成した簡単な構成により、分岐電線露出導体部２２を分岐電線挿入穴４３に挿入し易くなっている。このように、本実施の形態に係る電線分岐用圧縮スリーブ４では、簡単な構成で、しかも取り付け作業性を向上できる。なお、この案内部４２Ａは、分岐電線挿入穴４３の少なくとも一方の端部に形成されていればよい。
【００２９】
（その他の実施の形態）
以上、第１および第２の実施の形態について説明したが、本発明はこれに限定されるものではなく、各種の設計変更が可能である。例えば、上記第１の実施の形態に係る電線分岐用圧縮スリーブ１では、分岐電線挿入穴１４の開口部に内奥に向けて漸次径寸法が小さくなるような案内部を形成してもよい。また、第２の実施の形態に係る電線分岐用圧縮スリーブ４では、分岐電線挿入穴４３の端部周辺または幹電線収容溝４２の端部周辺に、第１の実施の形態に係る電線分岐用圧縮スリーブ１が備える被覆バインド１２（図３参照）と同様のものを設け、分岐電線２または幹電線３に被覆バインドで仮止めできるようにしてもよい。
【符号の説明】
【００３０】
１  電線分岐用圧縮スリーブ
２  分岐電線
３  幹電線
４  電線分岐用圧縮スリーブ
１１  スリーブ本体
１２  被覆バインド
１３  幹電線収容溝
１３Ａ  溝上部縁部
１４  分岐電線挿入穴
１５  仮押さえリブ
２１，３１  被覆部
２２  分岐電線露出導体部
３２  幹電線露出導体部
４１  スリーブ本体
４２  幹電線収容溝
４２Ａ  縁部
４３  分岐電線挿入穴
４３Ａ  案内部
４４  仮押さえリブ
【図１】
0005592512.tif 000002
【図２】
0005592512.tif 000003
【図３】
0005592512.tif 000004
【図４】
0005592512.tif 000005
【図５】
0005592512.tif 000006
【図６】
0005592512.tif 000007
【図７】
0005592512.tif 000008
【図８】
0005592512.tif 000009
【図９】
0005592512.tif 000010
【図１０】
0005592512.tif 000011
【図１１】
0005592512.tif 000012
【図１２】
0005592512.tif 000013
【図１３】
0005592512.tif 000014